(57)【要約】      （修正有）【課題】丸穴に使用することが出来る手動取付綴じ具を提供する。【解決手段】綴じ具は、半リング形状の凸パーツ６Ｃと、半リング形状の凹パーツ６Ｄからなる一対の綴じ具部材からなり、二つの半リングパーツ６Ｃ、６Ｄは互いの一端をヒンジ構造の可動可能な状態で結合する。結合した反対側の端は凸パーツ６Ｃが凹パーツ６Ｄに入り先端の鉤状突起６Ｅ、６Ｆで固定されリング形状になる。またその断面は一辺以上を円弧にすることにより丸穴に適合した手動取付綴じ具が形成される。【選択図】図６
0003230042.tif 000002
【実用新案登録請求の範囲】
【請求項１】
卓上カレンダーやリングノート等に用いられ、複数枚の紙葉の一辺に複数の丸形綴じ穴が設けられた部材と、各々の丸形綴じ穴に挿通してリングを形成する綴じ具。前記綴じ具において、前記丸型綴じ穴に接する辺の形状が円弧になっていることを特徴とする手動取付綴じ具。
【考案の詳細な説明】
【技術分野】
【０００１】  本考案は、卓上カレンダーやリングノート等に用いられ、複数枚の紙葉を束ねるのに使用するリング状の手動取付綴じ具に関する。
【背景技術】
【０００２】  従来より、手動取付綴じ具の卓上カレンダーとしては、複数枚のカレンダー紙葉と側面視でほぼ三角形に組み立てる事ができる台紙の上辺に穴を開け、各カレンダー紙葉の上辺を台紙の上辺に金属製リングや合成樹脂製リング、あるいは硬質紙製リング等によって綴じ込んだ構造のものが広く知られている。
従来のリングノートは、複数枚の紙葉の一辺に穴を開け、金属製リングや合成樹脂製リング、あるいは硬質紙製リング等によって綴じ込んだ構造のものが広く知られている。【０００３】  特許文献１や特許文献２では、手動で取付けることが出来るリング形状のものが２個ヒンジ構造によって連結し可動することによって１個のリングを形成し、そのリングを複数個結合している。複数枚のカレンダー紙葉と側面視でほぼ三角形に組み立てる事ができる台紙の上辺に穴を開け、リングの連結部の反対側の端を手動で係止してカレンダー紙葉を綴じる綴じ具が開示されている。
【先行技術文献】
【特許文献】
【０００４】
【特許文献１】実用新案登録第３０７５２００号公報
【特許文献２】特開２０１７−９４６２７号公報
【考案の概要】
【考案が解決しようとする課題】
【０００５】  このような手動取付綴じ具は、リングの断面が長方形であることから、複数枚の紙葉に開ける複数の穴の形状の上辺が水平に直線になることを想定しているため、角穴か楕円穴を開けなければならない。
仮に丸穴に特許文献１や特許文献２を取付た場合、穴と紙葉の端の距離が短くなってしまい強度に問題がある。【０００６】  針に回転をかけて開ける丸穴に対して、回転をかけないで開ける角穴や楕円穴は生産力が低く、その穴を開ける設備の普及率も角穴や楕円穴の方が低い。結果的に生産コストが高くなってしまう。【０００７】  上記の問題を解決するために本発明は形状を見直して、より生産力が高く、コストを低く抑えることができる手動取付綴じ具を提供することを目的としてなされたものである。
【課題を解決するための手段】
【０００８】  本考案の手動取付綴じ具の形状は、複数枚の紙葉の一辺に開ける複数の丸形綴じ穴に接する辺の形を円弧にした。
作業効率の観点から、手作業による取付部分は、二箇所よりも一箇所の方がいいため、二つの半リングは一箇所をヒンジ構造の稼働可能な状態で結合する。
【考案の効果】
【０００９】  本考案の綴じ具は、複数枚の紙葉の一辺に開ける複数の綴じ穴は丸形であるから、前記［０００６］の点で、生産量が高くなる。【００１０】  本考案の綴じ具は、手動取付であるために人員の増減で容易に生産力の増減をはかることができる。カレンダーの特性上、需要の時期が年末や年度末に集中する。その結果おこる極端な生産量の増減に対応することができる。【００１１】  本考案の綴じ具を使用してできる卓上カレンダーやリングノート等に必要な加工は、断裁、丁合、丸形の穴開け、スジ押しで、一般的な製本所にある設備で製作可能なため、参入障壁が低くなる。
【図面の簡単な説明】
【００１２】
【図１】当該実施形態に係る綴じ具が開いた状態の側面図である。
【図２】当該実施形態に係る綴じ具が開いた状態の斜視図である。
【図３】当該実施形態に係る綴じ具が閉じた状態の側面図である。
【図４】当該実施形態に係る綴じ具が閉じた状態の斜視図である。
【図５】当該実施形態に係る綴じ具と紙葉に開けられた丸形綴じ穴の断面図と斜視図である。
【図６】当該実施形態に係る開いた状態の綴じ具と紙葉に開けられた丸形綴じ穴の斜視図である。
【図７】当該実施形態に係る閉じた状態の綴じ具と紙葉に開けられた丸形綴じ穴の斜視図である。
【図８】当該実施形態に係る綴じ具を卓上カレンダーに適用した正面図である。
【図９】当該実施形態に係る綴じ具を卓上カレンダーに適用した側面図である。
【図１０】当該実施形態に係る綴じ具を卓上カレンダーに適用した側面拡大図である。
【図１１】当該実施形態に係る綴じ具をリングノートに適用した正面図である。
【図１２】当該実施形態に係る綴じ具をリングノートに適用した側面拡大図である。
【考案を実施するための形態】
【００１３】  以下、本考案の実施形態を図に基づいて説明する。
当該実施形態に係る綴じ具の形状は、図１のように半リング形状のものが２個、１Ｂを支点にヒンジ構造によって連結し可動する。硬質の素材では１Ｂを支点に可動することが困難になる為、柔軟な合成樹脂等を使用する。
【００１４】  当該実施形態に係る綴じ具は丸形綴じ穴に対応するため、図１の点線Ａで切断した断面１Ａのように一辺の形を円弧にした。図５は丸形綴じ穴に当該実施形態に係る綴じ具を挿入した断面図と斜視図である。１Ａは綴じ具で５Ｃは紙葉で５Ｂは紙葉に開けられた丸形綴じ穴である。図５のように紙葉に開けられた丸形綴じ穴に合わせて綴じ具の一辺が円弧している。
【００１５】  当該実施形態に係る綴じ具は作業効率を上げるために二つの半リング状のパーツはあらかじめ一箇所をヒンジ構造によって連結させる。図６は当該実施形態に係る開いた状態の綴じ具と紙葉に開けられた丸形綴じ穴の斜視図である。６Ｂは６Ａを側面図にしたものである。二つの半リング状のパーツは先端が鉤状の凸パーツと先端が鉤状の凹パーツに別れており、６Ｃの凸パーツを６Ｄの凹パーツに差込み鉤状の６Ｅと６Ｆが綴じ具を固定する。図７は綴じ具が固定された状態を表したものである。
【００１６】  図８は当該実施形態に係る綴じ具を卓上カレンダーに適用した正面図である。８Ａは当該実施形態に係る綴じ具で８Ｂはカレンダー紙葉で８Ｃは硬質紙からなる台紙である。８Ｂのカレンダー紙葉は複数枚あり、カレンダー紙葉と硬質紙からなる台紙の上辺に丸形綴じ穴を複数開け、前記［００１５］の方法で固定する。
【００１７】  図９は当該実施形態に係る綴じ具を卓上カレンダーに適用した側面図である。９Ａは当該実施形態に係る綴じ具で９Ｂはカレンダー紙葉で９Ｃは硬質紙からなる台紙である。９Ｃの台紙は９Ｃ１の前面部と９Ｃ２の底面部と９Ｃ３の背面部の三面を備えている。９Ｃの台紙は１枚の硬質紙から出来ており、特定の箇所で折り曲げるて９Ｃ１の前面部と９Ｃ３の背面部の上辺に丸形綴じ穴を開け当該実施形態に係る綴じ具で固定することにより、側面視でほぼ三角形に組み立てられている。
【００１８】  図１０は当該実施形態に係る綴じ具を卓上カレンダーに適用した側面拡大図である。１０Ａは当該実施形態に係る綴じ具で１０Ｂはカレンダー紙葉で１０Ｃは硬質紙からなる台紙である。１０Ｂのカレンダー紙葉と１０Ｃの台紙は当該実施形態に係る綴じ具のみで固定されており可動可能な状態にある。
【００１９】  図１１は当該実施形態に係る綴じ具をリングノートに適用した正面図である。１１Ａは当該実施形態に係る綴じ具で１１Ｂは紙葉で１１Ｃは硬質紙や板状の合成樹脂からなる表紙である。１１Ｂの紙葉は複数枚あり、紙葉と硬質紙や板状の合成樹脂からなる表紙の一辺に丸形綴じ穴を複数開け、前記［００１５］の方法で固定する。
【００２０】  図１２は当該実施形態に係る綴じ具をリングノートに適用した側面拡大図である。１２Ａは当該実施形態に係る綴じ具で１２Ｂは紙葉で１２Ｃは硬質紙や板状の合成樹脂からなる表紙である。１２Ｂの紙葉と１２Ｃの表紙は当該実施形態に係る綴じ具のみで固定されており可動可能な状態にある。
【００２１】  本考案の綴じ具を使用した卓上カレンダーやリングノートは、製造工程に糊付けがないので組み付け者の作業効率が向上し、製造コストの抑制にも有利である。
【符号の説明】図１：開いた状態の綴じ具側面図    １Ａ：点線Ａで切断した断面図
１Ｂ：半リング状パーツの連結部    図２：開いた状態の綴じ具斜視図
図３：閉じた状態の綴じ具側面図    図４：閉じた状態の綴じ具斜視図
図５：紙葉に開けられた丸形綴じ穴と綴じ具の断面図と斜視図
図６：開いた状態の綴じ具と紙葉に開けられた丸形綴じ穴の斜視図
６Ａ：開いた状態の凸パーツと凹パーツの斜視図    ６Ｂ：開いた状態の凸パーツと凹パーツの側面図
６Ｃ：凸パーツ側面図    ６Ｄ：凹パーツ側面    ６Ｅ：鉤状突起    ６Ｆ：鉤状突起
図７：閉じた状態の綴じ具と紙葉に開けられた丸形綴じ穴の斜視図
７Ａ：閉じた状態の凸パーツと凹パーツの斜視図    ７Ｂ：閉じた状態の凸パーツと凹パーツの側面図
図７：綴じ具を卓上カレンダーに適用した正面図    図８：綴じ具を卓上カレンダーに適用した側面図
図９：綴じ具を卓上カレンダーに適用した側面拡大図
図１０：綴じ具をリングノートに適用した正面図    図１１：綴じ具をリングノートに適用した側面拡大図
【図１】
0003230042.tif 000003
【図２】
0003230042.tif 000004
【図３】
0003230042.tif 000005
【図４】
0003230042.tif 000006
【図５】
0003230042.tif 000007
【図６】
0003230042.tif 000008
【図７】
0003230042.tif 000009
【図８】
0003230042.tif 000010
【図９】
0003230042.tif 000011
【図１０】
0003230042.tif 000012
【図１１】
0003230042.tif 000013
【図１２】
0003230042.tif 000014
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
卓上カレンダーやリングノート等に用いられ、複数枚の紙葉の一辺に丸形綴じ穴が設けられた部材と、各々の丸形綴じ穴に挿通してリングを形成する綴じ具。
【請求項２】
請求項１の綴じ具において、前記丸形綴じ穴に接する辺の形状が円弧になっていることを特徴とする手動取付綴じ具。